(57)【要約】【課題】  体をひねるようなストレッチの体感を得ることのできるマッサージ装置を提供する。【解決手段】  左右対称にそれぞれ複数配置されたエアバッグＡ１〜Ａ８と、各エアバッグを膨縮させる給排気装置１００とを備え、互いに対称位置の関係にないエアバッグＡ４（Ａ３）とエアバッグＡ７（Ａ８）の両方を膨縮させる。【選択図】  図１
2005152384.tif 000002
【特許請求の範囲】
【請求項１】
左右対称にそれぞれ複数配置されたエアバッグと、各エアバッグを膨縮させる給排気手段とを備えたマッサージ装置であって、
前記複数のエアバッグのうち互いに対称位置の関係にない左右の両エアバッグを膨縮させることを特徴とするマッサージ装置。
【請求項２】
左右のうちの一方側の１つのエアバッグと、他方側の複数のエアバッグとを膨縮させ、この後に一方側の複数のエアバッグと他方側の１つのエアバッグとを膨縮させることを特徴とする請求項１に記載のマッサージ装置。
【請求項３】
前記複数のエアバッグのうち左右一対のエアバッグが肩用に設定され、この肩用のエアバッグを回動させることによりそのエアバッグの突出する位置を変える回動手段を有し、
前記一方側の複数のエアバッグと他方側の１つのエアバッグが膨縮した後に、前記回動手段が動作して肩用のエアバッグを回動移動させ、この後に前記一方側の１つのエアバッグと他方側の複数のエアバッグとが膨縮することを特徴とする請求項２に記載のマッサージ装置。
【発明の詳細な説明】
【技術分野】
【０００１】
この発明は、左右対称にそれぞれ複数配置されたエアバッグを備えたマッサージ装置に関する。
【背景技術】
【０００２】
従来から、椅子式のマッサージ装置が知られている（特許文献１参照）。
【０００３】
かかるマッサージ装置は、座部と、背凭れ部と、座部や背凭れ部に左右対称に配置された複数のエアバッグと、各エアバッグを膨縮する給排気装置等とを備えている。そして、エアバッグの膨縮により臀部や腿や背中などのマッサージが行え、各エアバッグのうち所望のエアバッグを選択して所望の順序でマッサージを行うことができるようになっている。
【特許文献１】特開２００２−３１５８００号公報
【発明の開示】
【発明が解決しようとする課題】
【０００４】
しかしながら、このようなマッサージ装置にあっては、左右対称位置にある左右のエアバッグが同時に膨縮するため、体をひねるようなストレッチの体感を得ることができないという問題があった。
【０００５】
この発明の目的は、体をひねるようなストレッチの体感を得ることのできるマッサージ装置を提供することにある。
【課題を解決するための手段】
【０００６】
請求項１の発明は、左右対称にそれぞれ複数配置されたエアバッグと、各エアバッグを膨縮させる給排気手段とを備えたマッサージ装置であって、
前記複数のエアバッグのうち互いに対称位置の関係にない左右の両エアバッグを膨縮させることを特徴とする。
【発明の効果】
【０００７】
この発明によれば、対称位置にない左右の両エアバッグを膨縮させるものであるから、体をひねるようなストレッチの体感を得ることができる。
【発明を実施するための最良の形態】
【０００８】
以下、この発明に係る椅子式のマッサージ装置の実施例を図面に基づいて説明する。
【実施例】
【０００９】
［第１実施例］
図１に示す椅子式のマッサージ装置１０は、座部１１と、この座部１１の後ろに設けた背凭れ部１２と、座部１１の前に設けたオットマン２０と、座部１１の両側に設けたアームレスト部１４,１５と、各種の操作を行うリモートコントロール装置（リモコン）５０と、座部１１の下側に設けられた給排気装置１００とを有している。
【００１０】
背凭れ部１２は、いわゆるリクライニングが可能となっており、モータＭ（図２参照）によってリクライニングする。この背凭れ部１２には、左右に配置された肩用のエアバッグＡ１,Ａ２と背中用のエアバッグＡ３,Ａ４と腰上用のエアバッグＡ５,Ａ６と腰下用のエアバッグＡ７,Ａ８とが設けられている。肩用のエアバッグＡ１,Ａ２は図示しない回動機構（回動手段）により、破線位置と鎖線位置との間を移動して、エアバッグＡ１,Ａ２の突出する向きが変わるようになっている。
【００１１】
オットマン２０は、上部が図示しない軸に回動可能に取り付けられていて、その上部を支点にして回動可能となっている。また、オットマン２０は、脚部を入れる凹部２１,２１が形成され、各凹部２１の両内壁部にエアバッグＡ９,Ａ９,Ａ１０,Ａ１０が設けられており、各エアバッグＡ９〜Ａ１０の膨縮により脹ら脛のマッサージを行うようになっている。
【００１２】
給排気装置１００は、図２に示すように、エアーを給気するためのポンプ１０１と、エアバッグＡ１〜Ａ１０を膨縮させるための電磁弁Ｖ１〜Ｖ１０と、各電磁弁Ｖ１〜Ｖ１０を制御する制御装置１０２等とを備えている。制御装置１０２はリモコン５０からの操作信号に基づいて各電磁弁Ｖ１〜Ｖ１０とポンプ１０１等を制御して各種のマッサージを行うようになっている。
【００１３】
そして、各電磁弁Ｖ１〜Ｖ１０が開成されると各エアバッグＡ１〜Ａ１０とポンプ１０１とが連通して各エアバッグＡ１〜Ａ１０が膨張し、各電磁弁Ｖ１〜Ｖ１０が閉成されると各エアバッグＡ１〜Ａ１０が外気に連通されて各エアバッグＡ１〜Ａ１０は収縮していくようになっている。
［動  作］
次に、上記のように構成される椅子式のマッサージ装置１０の動作を図３に示すタイムチャートを参照しながら説明する。なお、全てのエアバッグＡ１〜Ａ１０は収縮されており、各電磁弁Ｖ１〜Ｖ１０は閉成されているものとする。
【００１４】
先ず、リモコン５０の操作キー（図示しない）を操作してストレッチモードを設定し、スタートキーを操作すると（時点ｔ0）、ポンプ１０１が駆動されるとともに電磁弁Ｖ７が開成され、エアバッグＡ７が膨張していく。そして、所定時間経過すると電磁弁Ｖ４が開成されてエアバッグＡ４が膨張していく（時点ｔ1）。
【００１５】
エアバッグＡ４とエアバッグＡ７は、図４に示すように互いに左右反対側に配置されるとともに上下にずれている。すなわち、エアバッグＡ４,Ａ７は互いに対称位置の関係にないので、この両エアバッグＡ４,Ａ７の膨張により使用者の上体はひねられていき、ストレッチの体感を得ることができる。
【００１６】
そして、時点ｔ2になるとポンプ１０１の動作が停止されてエアバックＡ４,Ａ７の膨張は停止され、その膨張状態が維持される。時点ｔ3になると電磁弁Ｖ４,Ｖ７が閉成され、エアバッグＡ４,Ａ７は収縮していく。
【００１７】
エアバッグＡ４,Ａ７の収縮の後、ポンプ１０１が駆動されるとともに電磁弁Ｖ８が開成され（時点ｔ4）、エアバッグＡ８が膨張していく。そして、所定時間経過すると電磁弁Ｖ３が開成されてエアバッグＡ３が膨張していく（時点ｔ5）。
【００１８】
エアバッグＡ３とエアバッグＡ８は、図４に示すように互いに左右反対側に配置されるとともに上下にずれている。すなわち、エアバッグＡ３,Ａ８は互いに対称位置の関係にないので、このエアバッグＡ３,Ａ８の膨張により使用者の上体は上記と逆方向にひねられていき、ストレッチの体感を得ることができる。
【００１９】
時点ｔ6になるとポンプ１０１の動作が停止されてエアバックＡ３,Ａ８の膨張は停止され、その膨張状態が維持される。時点ｔ7になると電磁弁Ｖ３,Ｖ８が閉成され、エアバッグＡ３,Ａ８は収縮していく。
【００２０】
そして、エアバッグＡ４,Ａ７の膨張とエアバッグＡ３,Ａ８の膨張が交互に繰り返し行われていき、使用者の上体は交互に逆方向へひねられていき、ストレッチの体感を十分に得ることができることになる。なお、エアバッグＡ４,Ａ７の膨張とエアバッグＡ３,Ａ８の膨張は１回づつであってもよい。
【００２１】
図５は、他の例のタイムチャートを示したものである。このタイムチャートは、電磁弁Ｖ４,Ｖ３の開成の時点を早く、電磁弁Ｖ７,Ｖ８の開成の時点を遅くしてエアバッグＡ４,Ａ３の膨張開始時をエアバッグＡ７,Ａ８の膨張開始時より早くした例を示したものである。
【００２２】
［第２実施例］
図６は第２実施例のタイムチャートを示したものである。この第２実施例では、時点ｔ12〜ｔ16,ｔ20〜ｔ24の期間でポンプ１０１のオン・オフを繰り返し行うようにしたものである。このポンプ１０１のオン・オフの繰り返しにより、図７に示すように、エアバッグＡ７,Ａ４とエアバッグＡ８,Ａ３を段階的に膨張させるようにしたものである。
【００２３】
すなわち、ポンプ１０１のオンの期間（ｔ10〜ｔ12）でエアバッグＡ７を膨張させるとともにポンプ１０１のオンの期間（ｔ11〜ｔ12）でエアバッグＡ４を膨張させ、ポンプ１０１のオフの期間（ｔ12〜ｔ13）でエアバッグＡ７,Ａ４の膨張を停止させるとともにその膨張を維持させ、ポンプ１０１のオンの期間（ｔ13〜ｔ14）でエアバッグＡ７,Ａ４を膨張させ、ポンプ１０１のオフの期間（ｔ14〜ｔ15）でエアバッグＡ７,Ａ４の膨張を停止させるとともにその膨張を維持させ、ポンプ１０１のオンの期間（ｔ15〜ｔ16）でエアバッグＡ７,Ａ４を膨張させ、ポンプ１０１のオフの期間（ｔ16〜ｔ17）でエアバッグＡ７,Ａ４の膨張を停止させるとともにその膨張を維持させ、この後電磁弁Ｖ７,Ｖ４がオフとなってエアバッグＡ７,Ａ４が収縮されていく（時点ｔ17）。
【００２４】
そして、ポンプ１０１のオンの期間（ｔ18〜ｔ20）でエアバッグＡ８を膨張させるとともにポンプ１０１のオンの期間（ｔ19〜ｔ20）でエアバッグＡ３を膨張させ、ポンプ１０１のオフの期間（ｔ20〜ｔ21）でエアバッグＡ８,Ａ３の膨張を停止させるとともにその膨張を維持させ、ポンプ１０１のオンの期間（ｔ21〜ｔ22）でエアバッグＡ８,Ａ３を膨張させ、ポンプ１０１のオフの期間（ｔ22〜ｔ23）でエアバッグＡ８,Ａ３の膨張を停止させるとともにその膨張を維持させ、ポンプ１０１のオンの期間（ｔ23〜ｔ24）でエアバッグＡ８,Ａ３を膨張させ、ポンプ１０１のオフの期間（ｔ24〜ｔ25）でエアバッグＡ８,Ａ３の膨張を停止させるとともにその膨張を維持させ、この後電磁弁Ｖ８,Ｖ３がオフとなってエアバッグＡ８,Ａ３が収縮されていく（時点ｔ25）。
【００２５】
このように、エアバッグＡ７,Ａ４（Ａ８,Ａ３）を段階的に膨張させることにより、使用者の上体が段階的にひねられていくので、ストレッチの体感を効果的に得ることができる。
【００２６】
図８は第２実施例の他の例のタイムチャートを示したものである。このタイムチャートは、エアバッグＡ４,Ａ３の膨張開始時をエアバッグＡ７,Ａ８より早くした例を示したものである。
【００２７】
［第３実施例］
図９は第３実施例のタイムチャートを示したものである。この第３実施例では、第２実施例のポンプ１０１のオフの期間（ｔ12〜ｔ13,ｔ14〜ｔ15,ｔ20〜ｔ21,ｔ22〜ｔ23）で電磁弁７,４（８,３）を閉成して、図１０に示すようにその期間エアバッグ７,４（８,３）を収縮させたものである。すなわち、エアバッグ７,４（８,３）の膨張と収縮を繰り返し行うようにして、エアバッグ７,４（８,３）の膨張により使用者の上体をひねり、この状態でエアバッグ７,４（８,３）の膨縮により、タタキ効果を得るようにしたものである。つまり、ストレッチとタタキ効果が得られるようにしたものである。
【００２８】
［第４実施例］
図１１は第４実施例のタイムチャートを示したものである。この第４実施例では、ポンプ１０１のオンとともに電磁弁Ｖ３,Ｖ５,Ｖ７を開成されて（時点ｔ30）、エアバッグＡ３,Ａ５,Ａ７が膨張していく。そして、時点ｔ31で電磁弁Ｖ２が開成されてエアバッグＡ２が膨張していく。
【００２９】
エアバッグＡ３,Ａ５,Ａ７とエアバッグＡ２は、図１２に示すように、互いに左右反対側に配置されるとともに上下にずれている。すなわち、エアバッグＡ３,Ａ５,Ａ７とエアバッグＡ２は互いに対称位置の関係にないので、エアバッグＡ３,Ａ５,Ａ７とエアバッグＡ２の膨張により使用者の上体はひねられていき、ストレッチの体感を得ることができる。
【００３０】
そして、時点ｔ32になるとポンプ１０１の動作が停止されてエアバックＡ３,Ａ５,Ａ７,Ａ２の膨張は停止され、その膨張状態が維持される。時点ｔ33になると電磁弁Ｖ３,Ｖ５,Ｖ７,Ｖ２が閉成され、エアバッグＡ３,Ａ５,Ａ７,Ａ２は収縮していく。
【００３１】
エアバッグＡ３,Ａ５,Ａ７,Ａ２の収縮の後、ポンプ１０１が駆動されるとともに電磁弁Ｖ８,Ｖ６,Ｖ４が開成され（時点ｔ34）、エアバッグＡ８,Ａ６,Ａ４が膨張していく。そして、所定時間経過すると電磁弁Ｖ１が開成されてエアバッグＡ１が膨張していく（時点ｔ35）。
【００３２】
エアバッグＡ４,Ａ６,Ａ８とエアバッグＡ１は、図１２に示すように、互いに左右反対側に配置されるとともに上下にずれている。すなわち、エアバッグＡ４,Ａ６,Ａ８とエアバッグＡ１は互いに対称位置の関係にないので、エアバッグＡ４,Ａ６,Ａ８とエアバッグＡ１の膨張により使用者の上体は上記とは逆方向にひねられていき、ストレッチの体感を得ることができる。
【００３３】
そして、時点ｔ36になるとポンプ１０１の動作が停止されてエアバックＡ４,Ａ６,Ａ８,Ａ１の膨張は停止され、その膨張状態が維持される。時点ｔ37になると電磁弁Ｖ８,Ｖ６,Ｖ４,Ｖ１が閉成され、エアバッグＡ４,Ａ６,Ａ８,Ａ１は収縮していく。
【００３４】
そして、エアバッグＡ３,Ａ５,Ａ７,Ａ２の膨張とエアバッグＡ４,Ａ６,Ａ８,Ａ１の膨張が交互に繰り返し行われていき、使用者の上体は交互に逆方向へひねられていき、ストレッチの体感を十分に得ることができることになる。なお、エアバッグＡ３,Ａ５,Ａ７,Ａ２の膨張とエアバッグＡ４,Ａ６,Ａ８,Ａ１の膨張は１回づつであってもよい。
【００３５】
図１３は第４実施例の他の例を示したものである。この他の例では、先ずエアバッグＡ１,Ａ２を図１に示す鎖線位置へ回動移動させておく。そして、上記と同様にして、エアバッグＡ３,Ａ５,Ａ７,Ａ２を膨張させて収縮させる（イ）。次に、エアバッグＡ４,Ａ６,Ａ８,Ａ１を膨張させて収縮させる（ロ）。この後、エアバッグＡ１,Ａ２を図１３の（ハ）の矢印方向に回動させてエアバッグＡ１,Ａ２を図１の破線位置へ移動させる。
【００３６】
そして、図１３の（ニ）に示すように、エアバッグＡ３,Ａ５,Ａ７,Ａ２を膨張させて収縮させる。次に、エアバッグＡ４,Ａ６,Ａ８,Ａ１を膨張させて収縮させる（ホ）。この後、エアバッグＡ１,Ａ２を図１３の（ヘ）の矢印方向に回動させてエアバッグＡ１,Ａ２を図１の鎖線位置へ移動させる。このエアバッグＡ１,Ａ２は膨張させたまま移動させてもよい。
【００３７】
このように、（イ）から（ヘ）の動作を繰り返し行うことによって、使用者の上体を交互に逆方向へひねっていくものであり、また、エアバッグＡ１,Ａ２の位置が変えられていくことにより、変化のあるストレッチ感を得ることができる。
【００３８】
上記実施例では、エアバッグＡ３（Ａ４）とエアバッグＡ８（Ａ７）の組み合わせと、エアバッグＡ１（Ａ２）とエアバッグＡ４,Ａ６,Ａ８（Ａ３,Ａ５,Ａ７）の組み合わせについて説明したがこれに限らず、互いに対称位置の関係にない左右のエアバッグの組み合わせであれば他の組み合わせでもよい。また、複数のエアバッグには肩用のエアバッグＡ１,Ａ２が含まれていないが、この肩用のエアバッグＡ１,Ａ２を含めた組み合わせでもよい。例えば、エアバッグＡ１〜Ａ５（Ａ２〜Ａ６）とエアバッグＡ８（Ａ７）の組み合わせでもよい。さらに、１つのエアバッグと複数のエアバッグの組み合わせであるが、複数のエアバッグと複数のエアバッグの組み合わせであってもよい。
【００３９】
また、上記実施例はいずれも椅子式のマッサージ装置について説明したが、例えばマット式のマッサージ装置であってもよい。
【図面の簡単な説明】
【００４０】
【図１】この発明に係る椅子式のマッサージ装置の外観を示した斜視図である。
【図２】給排気装置の構成を示したブロック図である。
【図３】図１に示すマッサージ装置の動作を示したタイムチャートである。
【図４】膨縮するエアバッグの組み合わせを示した説明図である。
【図５】他の例のタイムチャートを示したものである。
【図６】第２実施例のタイムチャートを示したものである。
【図７】主なエアバッグの膨張状態を示したグラフである。
【図８】第２実施例の他の例のタイムチャートを示したものである。
【図９】第３実施例のタイムチャートを示したものである。
【図１０】第３実施例の主なエアバッグの膨張状態を示したグラフである。
【図１１】第４実施例のタイムチャートを示したものである。
【図１２】第４実施例の膨縮するエアバッグの組み合わせを示した説明図である。
【図１３】第４実施例の他の例を示した説明図である。
【符号の説明】
【００４１】
Ａ１〜Ａ８      エアバッグ
１０          マッサージ装置
１１          座部
１２          背凭れ部
１００          給排気装置（給排気手段）
【図１】
2005152384.tif 000003
【図２】
2005152384.tif 000004
【図３】
2005152384.tif 000005
【図４】
2005152384.tif 000006
【図５】
2005152384.tif 000007
【図６】
2005152384.tif 000008
【図７】
2005152384.tif 000009
【図８】
2005152384.tif 000010
【図９】
2005152384.tif 000011
【図１０】
2005152384.tif 000012
【図１１】
2005152384.tif 000013
【図１２】
2005152384.tif 000014
【図１３】
2005152384.tif 000015